(57)【要約】【解決手段】通気用ディスクを容器の一端に配置させる部材をここに示す。この部材は、実質的にはほぼ単独に、通気用ディスクを容器の一端の固定位置に配置させるために、通気用ディスクから延びた少なくとも1つの突出部を有している。この少なくとも1つの突出部は、通気用ディスクの中央部に位置し、通気用ディスクの中心点から延びた1つの突出部になり得る。この突出部は、通気用ディスクを掴んだり取り扱ったりすることを容易にするような、矩形と楕円形と円筒形のような形状を含む幾何学的な形状を採りうる。【選択図】図１
2004535341.tif 000002
【特許請求の範囲】
【請求項１】
利用者が通気用ディスクを容器の一端に配置するために掴むための、弾性の通気用ディスクの中央部から延びた少なくとも1つの突出部を具備する、弾性の通気用ディスクを容器の一端の中に配置する部材。
【請求項２】
前記少なくとも1つの突出部は、ほぼ、矩形と、楕円形と、円筒形とから成るグループから選ばれた形状を有する請求項１記載の部材。
【請求項３】
前記少なくとも1つの突出部は、前記通気用ディスクが配置される平面に対してほぼ垂直である請求項１記載の部材。
【請求項４】
前記少なくとも1つの突出部は、ポリマー、もしくは熱硬化性の材料から作られている請求項１記載の部材。
【請求項５】
前記材料は、実質的に、熱可塑性物質と、エラストマーと、熱硬化性ゴムと、シリコーンと、これらのいずれかの組み合わせとから成るグループから選ばれた請求項４記載の部材。
【請求項６】
前記少なくとも1つの突出部は、前記通気用ディスクと一体成形されている請求項１記載の部材。
【請求項７】
前記少なくとも1つの突出部は、約７０デュロメータの硬さを有する請求項１記載の部材。
【請求項８】
前記少なくとも1つの突出部は、前記通気用ディスクの中心部にある請求項１記載の部材。
【請求項９】
前記中心部は、前記通気用ディスクの中心点である請求項８記載の部材。
【請求項１０】
前記突出部は、ほぼ、立方体と、楕円体と、円柱形とから成るグループから選ばれた形状を有する請求項９記載の部材。
【請求項１１】
前記突出部は、前記通気用ディスクが配置される平面に対してほぼ垂直である請求項１0記載の部材。
【請求項１２】
前記突出部は、ポリマー、もしくは熱硬化性の材料から作られている請求項１１記載の部材。
【請求項１３】
前記材料は、実質的に、熱可塑性物質と、エラストマーと、熱硬化性ゴムと、シリコーンと、これらのいずれかの組み合わせとから成るグループから選ばれた請求項１２記載の部材。
【請求項１４】
前記突出部は、前記の通気用ディスクと一体成形されている請求項13記載の部材。
【請求項１５】
前記突出部は、約７０デュロメータの硬さを有する請求項１４記載の部材。
【請求項１６】
利用者が前記通気用ディスクを容器の一端に単独で配置する際に掴む、弾性の通気用ディスクの中心部から延びた突出部を具備し、前記中心部は前記通気用ディスクの中心点となっており、また、前記突出部は前記通気用ディスクが配置される平面に対しほぼ垂直であり、そしてほぼ矩形である、弾性の通気用ディスクを容器の一端の中に配置する部材。
【請求項１７】
前記突出部は、約０.２２インチ（約０.５６cm）の高さと、約０.３５インチ（０.８９cm）の長さと、約０.１０インチ（約０.２５cm）の幅とを有する楕円体の形状である請求項１６記載の部材。
【請求項１８】
前記突出部は、ポリマー、もしくは熱硬化性の材料から作られている請求項１７記載の部材。
【請求項１９】
前記材料は、実質的に、熱可塑性物質と、エラストマーと、熱硬化性ゴムと、シリコーンと、これらのいずれかの組み合わせとから成るグループから選ばれた請求項１８記載の部材。
【請求項２０】
前記突出部は、前記通気用ディスクと一体成形されている請求項1９記載の部材。
【請求項２１】
前記突出部は、約７０デュロメータの硬さを有する請求項２０記載の部材。
【請求項２２】
利用者が前記通気用ディスクを容器の一端に単独で配置する際に掴む、弾性の通気用ディスクの中心部から延びた複数の突出部を具備し、前記中心部は前記通気用ディスクの中心点となっており、また、前記複数の突出部は前記通気用ディスクが配置される平面に対しほぼ垂直であり、そしてほぼ矩形である、弾性の通気用ディスクを容器の一端の中に配置する部材。
【請求項２３】
前記突出部は、約０.２２インチ（約０.５６cm）の高さと、０.３５インチ（０.８９cm）の長さと、０.１０インチ（約０.２５cm）の幅とを有する楕円体の形状である請求項２２記載の部材。
【請求項２４】
前記複数の突出部は、ポリマー、もしくは熱硬化性物質の材料から作られている請求項２３記載の部材。
【請求項２５】
前記材料は、実質的に、熱可塑性物質と、エラストマーと、熱硬化性ゴムと、シリコーンと、これらのいずれかの組み合わせとから成るグループから選ばれた請求項２４記載の部材。
【請求項２６】
前記複数の突出部は、前記通気用ディスクと一体形成されている請求項２５記載の部材。
【請求項２７】
前記複数の突出部は、約７０デュロメータの硬さを有する請求項２６記載の部材。
【請求項２８】
前記複数の突出部は、２つの突出部である請求項２７記載の部材。
【請求項２９】
前記通気用ディスクは、通気用ディスクに形成され、前記中心部を取り囲む再封止可能な細長い複数のスリットにより通気される請求項１記載の部材。
【請求項３０】
前記通気用ディスクは、通気用ディスクに形成され、前記中心部を取り囲む再封止可能な細長い複数のスリットにより通気される請求項１６記載の部材。
【請求項３１】
前記通気用ディスクは、通気用ディスクに形成され、前記中心部を取り囲む再封止可能な細長い複数のスリットにより通気される請求項２２記載の部材。
【請求項３２】
前記通気用ディスクは、湾曲したドーム部分を有する請求項１記載の部材。
【請求項３３】
前記通気用ディスクは、湾曲したドーム部分を有する請求項１６記載の部材。
【請求項３４】
前記通気用ディスクは、湾曲したドーム部分を有する請求項２２記載の部材。
【発明の詳細な説明】
【技術分野】
【０００１】
本発明は、授乳時に、幼児用哺乳瓶などの容器の中に作られる真空を緩和するような通気用ディスクに関する。特に、本発明は、容器の一端に通気用ディスクを配置させるような部材に関する。
【背景技術】
【０００２】
授乳時に、哺乳瓶の中に作られる真空を緩和させるために、空気を哺乳瓶の中に流すように設計された通気手段を有する赤ん坊用の哺乳瓶が既に知られている。これらのうち、一端に取り付けられ、孔の開いた弾性の仕切膜、即ち通気用ディスクを有する瓶は、漏れを防ぎながら真空を緩和することに有効であることが証明されている。
【発明の開示】
【発明が解決しようとする課題】
【０００３】
効果的に真空を緩和しつつ漏れを防ぐためには、通気用ディスクは、瓶もしくは容器の一端に適切な滑りばめ（snug  fit）を必要とする。これは、通気用ディスクを瓶もしくは容器の一端の中と外へと配置することを困難にさせている。
【０００４】
本発明の目的は、容器の一端の中へ通気用ディスクを配置するために、通気用ディスクから外に延びた部材を提供することである。
【０００５】
本発明のこの目的と他の目的、そして効果は、この通気用ディスクを容器の一端の中へ単独で配置するために、通気用ディスクの中心部分から外に延びた少なくとも1つの突出部を具備する、容器の一端の中に通気用ディスクを配置する部材によって得られる。
【発明を実施するための最良の形態】
【０００６】
図面、特に図１ないし６には、本発明の通気用ディスクの好ましい実施形態が、全体を通して参照符号２０によって示されている。この通気用ディスク２０は、容器１３０の一端１００の中に、通気用ディスクを配置するために部材１０を有している。この部材1０は、通気用ディスク２０から延びている。
【０００７】
通気用ディスク２０は、好ましくは、湾曲したドーム形状の内側部分３０と、端即ち、リム４０とを有している。この内側部分３０は、好ましくは、上に向かって凸状に湾曲している。通気用ディスク２０の内側部分３０は、複数の再封止可能な細長いスリット５０を有している。スリット５０は、内側部分３０の凸状の湾曲を形成する半径に沿って広がっている。また、これらスリット５０は、スリット５０を有しない内側部分３０の中央領域６０を形成するように、内側部分３０に配置されている。図３に示されるように、各スリット５０の下にこれとアラインメントされ、授乳時に、瓶もしくは容器の中に部分的な真空が作られるとき、スリットを通じて、瓶もしくは容器の中に流れる空気を制御する内側部分３０の下面に、窪み５５が形成されることが望ましい。
【０００８】
前記部材１０は、通気用ディスク２０の中央領域６０から延びている。部材１０は、ほぼ矩形であることが好ましいが、楕円形、もしくは円筒形、もしくは部材１０を掴んだり持ったりすることを容易にするようなその他いずれの幾何学的な形状を取りうる。また、部材１０は、掴むことを容易にするために、垂直面に溝や凹みを有したり、その最上端の部分にリップを有することができる。部材１０は、通気用ディスク２０が配置される平面に対しておおよそ垂直であることが好ましいが、部材１０を握ったり持ったりすることを容易にするような角度に通気用ディスク２０から延びていても良い。
【０００９】
図４並びに５に示されるように、この好ましい位置付け部材１０の中においては、矩形の部材１０は、約０.１０インチ（０.２５cm）の幅ｗと、約０.３５インチ（０.８９cm）の長さｌとを有する上面１３と、約０.２２インチ（０.５６cm）の高さを有する側面の表面１７とを備えている。しかしながら、部材１０の幅ｗと、長さｌと、高さｈは、部材１０を握ったり持ったりすることを容易にするような他の寸法を取ることも可能である。もし、通気用ディスク２０の直径が大きくなるのであれば、部材１０の幅ｗと、長さｌと、高さｈも、この部材を握ったり持ったりすることを更に容易にするために大きくなることが好ましい。
【００１０】
図６には、部材１０が単独で、もしくはほとんど単独で、容器１００の一端の中に通気用ディスク２０を配置するところが示されている。部材１０は、瓶もしくは容器の中に、空気が流れることを可能にするスリット５０、もしくは窪み５５を妨げないように通気用ディスク２０の中央領域６０の中に配置される。この部材１０自体は、瓶もしくは容器の中に、空気が流れることを可能にする開口もしくは孔を有しない。
【００１１】
前記部材１０は、熱可塑性物質、エラストマー、熱硬化性ゴム、シリコーン、のようなその他適切なポリマーもしくは熱硬化性の材料のいずれかから作ることが可能である。これらの材料の組み合わせを使用することも可能である。また、部材１０は、好ましくは、熱硬化性ゴムで作られると良いが、最も好ましいのはシリコーンである。この部材１０は、約４０ないし８０デュロメータの硬さを有することが可能である。好ましくは、この硬さは、約７０デュロメータである。部材１０は、慣例的なモールディング技術、並びにより好ましくは液体噴射モールディング技術を含む様々な方法によって、通気用ディスク２０と一体形成され得ることが望ましい。しかし、代って、部材１０は、通気用ディスク２０と一体化されておらず、接着剤を含む様々な手段によって通気用ディスク２０に取着される部材でも良い。
【００１２】
通気用ディスク２０は、干渉ばめ（interference  fit）によって、エンドキャップ１００、もしくは容器１３０の一端内に配置されるよう適用されることが好ましい。この干渉ばめは、通気用ディスク２０のリム４０、好ましくはエッジ４２と、エンドキャップ１００、もしくは容器１３０の内径部１１０との間に形成される。また、このはめ合（fit）は、スナップばめ（snap  fit）でも良い。更に、通気用ディスク２０は、これが、エンドキャップ１００、もしくは容器１３０の一端にあるスレッド（thread）１２０に係合される他の手段により、エンドキャップ１００、もしくは容器１３０の一端の中の所定箇所にしっかりと固定され得る。好ましい実施形態においては、通気用ディスク２０のリム４０の直径ｄは、リムの最小径である。この直径ｄは、エンドキャップ１００、もしくは容器１３０の一端の内径ｄ’とほぼ同じである。リム４０の面取りされたエッジ４２は、このリムに２番目に大きな直径４３を与える。通気用ディスク２０の柔軟性は、リム４０が、スレッドの上側、もしくは下側の位置にしっかりと固定されるように、スレッド１２０の上側、または下側に手で装着されることを可能としている。図６に示されているように、本発明の好ましい実施形態は、通気用ディスク２０のリム４０の外径部とエンドキャップ１００の内径部との間に、干渉ばめが存在することである。
【００１３】
前記部材１０が、エンドキャップ１００、もしくは容器１３０の一端から離れるような方向に引っ張られると、中央パネル３０の半径ｒが大きくなって、通気用ディスクが干渉ばめの位置から取り除かれるのを可能にするように、部材１０は、通気用ディスク２０の中央部分６０から延びている。かくして、通気用ディスク２０が、除去方向に引っ張られると、除去する力は干渉ばめの摩擦より大きくなるので、通気用ディスクが除去されるのを可能とする。
【００１４】
図１ないし６は、通気用ディスク２０から延びた突出部である部材１０を具備する部材の好ましい実施形態を示している。代って、位置付け部材１０は、突出部１０を掴んだり持ったりすることを容易にする複数の突出部である場合もある。
【００１５】
図７ないし９は、全体を通して参照符号１０’と１０”とによって夫々表された、２つの突出部である位置付け部材の他の実施形態を示している。突出部１０’並びに突出部１０”は、通気用ディスク２０’の中央部分６０’から延びており、容器の一端に通気用ディスク２０’を単独に配置するためにある。突出部１０’並びに突出部１０”は、穿孔を通じ、瓶もしくは容器の中に、空気を通す事を可能とするような穿孔を有しない。突出部１０’並びに突出部１０”が、容器の一端から離れるような方向に引っ張られると、通気用ディスク２０’の直径ｄ’は減少する。この直径ｄ’の減少は容器の一端の干渉ばめの位置から、通気用ディスク２０’が取り除かれることを可能とする。あるいは、どちらかと言うとあまり好ましくないのだが、干渉ばめの代わりに、スナップばめを使用することも出来ることが理解されている。
【００１６】
以上のように、本発明がこれらの好ましい実施形態について特に言及して説明された事により、添付の請求の範囲で規定されている本発明の精神と範囲から逸脱することがなく、様々な変更と変形とがなされることが可能であるということが明らかであろう。
【図面の簡単な説明】
【００１７】
【図１】位置付け部材の第１の実施形態を示す通気用ディスクの上方からの斜視図。
【図２】通気用ディスクの上面図。
【図３】通気用ディスクの下面図。
【図４】通気用ディスクの正面図であり、背面図もこれと全く同一である。
【図５】通気用ディスクの一側面図であり、他側面もこれと全く同一である。
【図６】エンドキャップの断面図を伴った、図２の６−６線に沿って切断された図1の通気用ディスクの断面図。
【図７】本発明の位置付け部材の第２の実施形態を示す、通気用ディスクの他の実施形態の上面図。
【図８】図７の通気用ディスクの正面図であり、背面図もこれと全く同一である。
【図９】図７の通気用ディスクの一側面図であり、他側面もこれと全く同一である。
【図１】
2004535341.tif 000003
【図２】
2004535341.tif 000004
【図３】
2004535341.tif 000005
【図４】
2004535341.tif 000006
【図５】
2004535341.tif 000007
【図６】
2004535341.tif 000008
【図７】
2004535341.tif 000009
【図８】
2004535341.tif 000010
【図９】
2004535341.tif 000011
【国際公開パンフレット】
2004535341.tif 000012
2004535341.tif 000013
2004535341.tif 000014
2004535341.tif 000015
2004535341.tif 000016
2004535341.tif 000017
2004535341.tif 000018
2004535341.tif 000019
2004535341.tif 000020
2004535341.tif 000021
2004535341.tif 000022
2004535341.tif 000023
2004535341.tif 000024
2004535341.tif 000025
2004535341.tif 000026
【手続補正書】
【提出日】平成15年6月13日(2003.6.13)
【手続補正１】
【補正対象書類名】特許請求の範囲
【補正対象項目名】全文
【補正方法】変更
【補正の内容】
【特許請求の範囲】
【請求項１】
少なくとも1つの突出部と、少なくとも1つの再封止可能な開口とを有している弾性の内側部分を具備し、前記少なくとも1つの再封止可能な開口によって通気される、容器の一端の中に配置される通気用ディスク。
【請求項２】
前記内側部分は、湾曲したドーム部分を有する請求項１記載の通気用ディスク。
【請求項３】
前記少なくとも1つの再封止可能な開口は、複数の細長いスリットである請求項２記載の通気用ディスク。
【請求項４】
前記内側部分は、一表面を有し、この表面は、これに形成された複数の窪みを有し、これら複数の窪みの各々は、前記複数のスリットの各々とアラインメントされている、請求項３記載の通気用ディスク。
【請求項５】
前記複数のスリットの各々は、前記内側部分の前記ドーム形状の湾曲を生じさせる半径に沿って形成されている請求項４記載の通気用ディスク。
【請求項６】
前記少なくとも1つの突出部は、ほぼ、矩形と、楕円形と、円柱形とから成るグループから選ばれた形状を有する請求項１記載の通気用ディスク。
【請求項７】
前記少なくとも1つの突出部は、前記内側部分に対して実質上垂直である請求項１記載の通気用ディスク。
【請求項８】
前記少なくとも1つの突出部は、実質的に、ポリマーと、熱硬化性の物質と、これらのいずれかの組み合わせとから成るグループから選ばれた材料から作られている請求項1記載の通気用ディスク。
【請求項９】
前記材料は、実質的に、熱可塑性物質と、エラストマーと、熱硬化性ゴムと、シリコーンと、これらのいずれかの組み合わせとから成るグループから選ばれた請求項８記載の通気用ディスク。
【請求項１０】
前記少なくとも1つの突出部は、前記内側部分と一体成形されている請求項１記載の通気用ディスク。
【請求項１１】
少なくとも1つの突出部は、約７０デュロメータの硬さを有する請求項
１記載の通気用ディスク。
【請求項１２】
前記内側部分は、中心部を有し、前記少なくとも1つの突出部は、前記中心部に沿って少なくとも部分的に配置されている、請求項１記載の通気用ディスク。
【請求項１３】
湾曲したドーム形状を有する弾性の内側部分と、
この内側部分を取り囲み、上面と下面を有するリムと、
この内側部分から延びている少なくとも1つの突出部と
この内側部分に配置されている少なくとも1つの再封止可能な開口とを具備し、前記エンドキャップと前記容器とに組み合わされたとき、前記リムの下面は、このエンドキャップと当接する平面部分を有し、そして、前記少なくとも1つの再封止可能な開口によって通気されるような、容器集合体のエンドキャップを中に配置するための通気用ディスク。
【請求項１４】
前記リムの上面は、前記通気用ディスクが前記末端キャップと前記容器とに組み合わされたとき、この容器と当接する平面部分を有する請求項１３記載の通気用ディスク。
【請求項１５】
前記少なくとも1つの再封止可能な開口は、複数の細長いスリットである請求項１３記載の通気用ディスク。
【請求項１６】
前記内側部分は、一表面を有し、この表面は、これに形成された複数の窪みを有し、これら複数の窪み各々は、前記複数のスリットの各々とアラインメントされている、請求項１５記載の通気用ディスク。
【請求項１７】
前記複数のスリットの各々は、前記内側部分の湾曲を生じさせる半径に沿って形成されている請求項１６記載の通気用ディスク。
【請求項１８】
前記少なくとも1つの突出部は、ほぼ、矩形と、楕円体と、円筒形とから成るグループから選ばれた形状を有する請求項１３記載の通気用ディスク。
【請求項１９】
少なくとも1つの突出部は、前記内側部分に対して実質上垂直である請求項１３記載の通気用ディスク。
【請求項２０】
前記少なくとも1つの突出部は、実質的には、ポリマーと、熱硬化性の物質と、これらのいずれかの組み合わせとから成るグループから選ばれた材料から作られている請求項１３記載の通気用ディスク。
【請求項２１】
前記材料は、実質的には、熱可塑性物質と、エラストマーと、熱硬化性ゴムと、シリコーンと、これらのいずれかの組み合わせとから成るグループから選ばれた材料である請求項２０記載の通気用ディスク。
【請求項２２】
前記少なくとも1つの突出部は、前記内側部分と一体成形されている請求項１３記載の通気用ディスク。
【請求項２３】
前記少なくとも1つの突出部は、約７０デュロメータの硬さを有する請求項１３記載の通気用ディスク。
【請求項２４】
前記内側部分は、中心部を有し、前記少なくとも1つの突出部は、前記中心部に沿って少なくとも部分的に配置されている、請求項１３記載の通気用ディスク。
【請求項２５】
容器と、
この容器に取り外し可能に取着されるエンドキャップと、
このエンドキャップの中に取り外し可能に配置され、弾性の内側部分と、この内側部分から延びた少なくとも1つの突出部と、前記内側部分の上方に配置された少なくとも1つの再封止め可能な開口とを有する通気用ディスクを具備し、この通気用ディスクは前記少なくとも1つ再封止め可能な開口により通気される、容器集合体。
【請求項２６】
前記内側部分は、湾曲したドーム形状を有する請求項２５記載の容器集合体。
【請求項２７】
前記少なくとも1つの再封止可能な開口は、複数の細長いスリットである請求項２６記載の容器集合体。
【請求項２８】
前記内側部分は、一表面を有し、この表面上は、これに形成された複数の窪みを有し、これら複数の窪みの各々は、前記複数のスリットの各々とアラインメントされている、請求項２７記載の容器集合体。
【請求項２９】
前記複数のスリットは、前記内側部分の湾曲を生じさせる半径に沿って形成されている請求項２８記載の容器集合体。
【請求項３０】
前記通気用ディスクは、前記内側部分を取り囲んでいるリムを有し、このリムは平面部分を有する下面を備え、前記通気用ディスクが前記エンドキャップと前記容器とに組み合わされたとき、前記平面部分は前記エンドキャップと当接する、請求項２５記載の容器集合体。
【請求項３１】
前記エンドキャップは、前記通気用ディスクがこのエンドキャップと前記容器とに組み合わされたとき、前記リムの前記下面の平面部分と当接する平面部分を有する請求項３０記載の容器集合体。
【請求項３２】
前記リムは、前記通気用ディスクが前記エンドキャップと前記容器とに組み合わされたとき、前記容器と当接する平面部分を有する上面を備える請求項３０記載の容器集合体。
【請求項３３】
前記容器は、前記通気用ディスクが前記エンドキャップと前記容器とに組み合わされたとき、前記リムの前記上面の平面部分と当接する平面部分を有する請求項３２記載の容器集合体。
【請求項３４】
前記少なくとも1つの突出部は、ほぼ、矩形と、楕円体と、円筒形とから成るグループから選ばれた形状を有する請求項２５記載の容器集合体。
【請求項３５】
前記少なくとも1つの突出部は、前記内側部分に対して実質的に垂直である請求項２５記載の容器集合体。
【請求項３６】
前記少なくとも1つの突出部は、実質的に、ポリマーと、熱硬化性の物質と、これらのいずれかの組み合わせとから成るグループから選ばれた材料から作られている請求項２５記載の容器集合体。
【請求項３７】
前記材料は、実質的に、熱可塑性物質と、エラストマーと、熱硬化性ゴムと、シリコーンと、これらのいずれかの組み合わせとから成るグループから選ばれた請求項３６記載の容器集合体。
【請求項３８】
前記少なくとも1つの突出部は、前記内側部分と一体成形されている請求項２５記載の容器集合体。
【請求項３９】
前記少なくとも1つの突出部は、約７０デュロメータの硬さを有する請求項２５記載の容器集合体。
【請求項４０】
前記内側部分は、中心部を有し、前記少なくとも1つの突出部は、前記中心部に沿って少なくとも部分的に配置されている、請求項２５記載の容器集合体。
【請求項４１】
前記容器は、第1の取着構造を備える下部ネックを有し、前記エンドキャップは、第2の取着構造を有し、これら第1並びに第2の取着構造は、前記エンドキャップを前記容器と組み合わせるように係合可能である、請求項２５記載の容器集合体。
【請求項４２】
第1並びに第2の取着構造は、スレッドである請求項４１記載の容器集合体。
【請求項４３】
前記下部ネックは、前記容器に比べて小さい直径を有し、前記容器は、前記下部ネックの上方に第1の外面を有し、また、前記エンドキャップは、第2の外面を有し、そして、前記エンドキャップが前記容器と組み合わされたとき、前記第1の外面は、実質上前記第2の外面と接する、請求項４１記載記載の容器集合体。
【請求項４４】
前記エンドキャップは、湾曲したドーム形状の中心部を有し、この中心部は、前記エンドキャップが前記容器と組み合わされたときに、前記通気用ディスクの前記内側部分とほぼ同軸的にアラインメントされた、請求項２６記載の容器集合体。
【請求項４５】
前記エンドキャップは、湾曲したドーム形状の中心部を有し、このエンドキャップの平面部分は、この中心部を取り囲み、そしてこの中心部は、このエンドキャップが前記容器と組み合わされたとき、前記通気用ディスクの前記内側部分と実質上同軸的にアラインメントされた、請求項３１記載の容器集合体。
【請求項４６】
前記エンドキャップは、リッジを前記中心部の周囲に有し、このエンドキャップの前記平面部分は、このリッジを取り囲み、このリッジは、このエンドキャップが前記容器と組み合わされたとき、前記通気用ディスクと当接する、請求項４５記載の容器集合体。
【国際調査報告】
2004535341.tif 000027